(57)【要約】  訪問診療支援方法は、訪問予定日の設定対象とする第一の患者宅の指定を受け付け、患者宅ごとに、当該患者宅の位置を示す位置情報と、当該患者宅への訪問予定日とを記憶する記憶部を参照して、前記第一の患者宅に係る位置情報が示す位置から所定の範囲内の位置を示す位置情報が記憶された一以上の第二の患者宅を特定し、前記第一の患者宅に係る位置情報が示す位置、及び特定された前記第二の患者宅に係る位置情報が示す位置が記され、前記第二の患者宅に関して前記記憶部が記憶する訪問予定日を識別可能な情報が前記第二の患者宅の位置に関連付けられた地図を含む表示データを生成する処理をコンピュータが実行する。
2013140490.tif 000002
【特許請求の範囲】
【請求項１】
訪問予定日の設定対象とする第一の患者宅の指定を受け付け、
患者宅ごとに、当該患者宅の位置を示す位置情報と、当該患者宅への訪問予定日とを記憶する記憶部を参照して、前記第一の患者宅に係る位置情報が示す位置から所定の範囲内の位置を示す位置情報が記憶された一以上の第二の患者宅を特定し、
前記第一の患者宅に係る位置情報が示す位置、及び特定された前記第二の患者宅に係る位置情報が示す位置が記され、前記第二の患者宅に関して前記記憶部が記憶する訪問予定日を識別可能な情報が前記第二の患者宅の位置に関連付けられた地図を含む表示データを生成する処理をコンピュータが実行する訪問診療支援方法。
【請求項２】
前記記憶部は、患者宅ごとに診療科を示す診療科情報を記憶し、
前記生成する処理は、前記第二の患者宅に関して前記記憶部が記憶する診療科情報の示す診療科を識別可能な情報が合前記第二の患者宅の位置に関連付けられた地図を含む表示データを生成する請求項１記載の訪問診療支援方法。
【請求項３】
前記記憶部は、患者宅ごとに診療科を示す診療科情報を記憶し、
前記第二の患者宅を特定する処理は、前記記憶部を参照して、前記第一の患者宅に係る位置情報が示す位置から所定の範囲内の位置を示す位置情報が記憶され、かつ、前記第一の患者宅に関して記憶されている診療科情報に一致する診療科情報が記憶されている一以上の前記第二の患者宅を特定する請求項１記載の訪問診療支援方法。
【請求項４】
訪問予定日の設定対象とする第一の患者宅の指定を受け付け、
患者宅ごとに、当該患者宅の位置を示す位置情報と、当該患者宅への訪問予定日とを記憶する記憶部を参照して、前記第一の患者宅に係る位置情報が示す位置から所定の範囲内の位置を示す位置情報が記憶された一以上の第二の患者宅を特定し、
前記第一の患者宅に係る位置情報が示す位置、及び特定された前記第二の患者宅に係る位置情報が示す位置が記され、前記第二の患者宅に関して前記記憶部が記憶する訪問予定日を識別可能な情報が前記第二の患者宅の位置に関連付けられた地図を含む表示データを生成する処理をコンピュータに実行させるプログラム。
【発明の詳細な説明】
【技術分野】
【０００１】
本発明は、訪問診療支援方法及びプログラムに関する。
【背景技術】
【０００２】
訪問診療又は在宅診療と呼ばれる診療形態においては、医師が患者宅を定期的に訪問して診療を行う。医師による患者宅の訪問スケジュールに関しては、効率性が重視される。例えば、一度の訪問診療において、複数の患者宅が訪問先とされる。また、移動距離がなるべく短くなるように、患者宅の訪問順が決定される。
【先行技術文献】
【特許文献】
【０００３】
【特許文献１】特開２０１０−１７６３７１号公報
【発明の概要】
【発明が解決しようとする課題】
【０００４】
新たな患者が訪問診療の対象となった場合、当該患者宅に関して、訪問スケジュールの決定作業が行われる。訪問スケジュールの決定に際しては、患者の希望、既存の訪問先の患者宅との位置関係、及び患者の罹患状態等、様々な要因が考慮される必要がある。従来、訪問スケジュールの決定作業は、書類等を用いて手作業で行われていたため、非効率であった。【０００５】
そこで、一側面では、患者宅の訪問予定日の立案作業を効率化することを目的とする。
【課題を解決するための手段】
【０００６】
一つの案では、訪問診療支援方法は、訪問予定日の設定対象とする第一の患者宅の指定を受け付け、患者宅ごとに、当該患者宅の位置を示す位置情報と、当該患者宅への訪問予定日とを記憶する記憶部を参照して、前記第一の患者宅に係る位置情報が示す位置から所定の範囲内の位置を示す位置情報が記憶された一以上の第二の患者宅を特定し、前記第一の患者宅に係る位置情報が示す位置、及び特定された前記第二の患者宅に係る位置情報が示す位置が記され、前記第二の患者宅に関して前記記憶部が記憶する訪問予定日を識別可能な情報が前記第二の患者宅の位置に関連付けられた地図を含む表示データを生成する処理をコンピュータが実行する。
【発明の効果】
【０００７】
一態様によれば、患者宅の訪問予定日の立案作業を効率化することができる。
【図面の簡単な説明】
【０００８】
【図１】本発明の実施の形態におけるシステム構成例を示す図である。
【図２】本発明の実施の形態における訪問診療支援装置のハードウェア構成例を示す図である。
【図３】本発明の実施の形態における訪問診療支援装置の機能構成例を示す図である。
【図４】訪問診療支援装置が実行する処理手順の一例を説明するためのフローチャートである。
【図５】訪問診療支援装置が実行する処理手順の一例を説明するためのフローチャートである。
【図６】患者情報記憶部の構成例を示す図である。
【図７】患者一覧画面の表示例を示す図である。
【図８】定期訪問周期設定画面の第一の表示例を示す図である。
【図９】近隣地図画面の第一の表示例を示す図である。
【図１０】近隣地図画面の第二の表示例を示す図である。
【図１１】定期訪問周期設定画面の第二の表示例を示す図である。
【発明を実施するための形態】
【０００９】
以下、図面に基づいて本発明の実施の形態を説明する。図１は、本発明の実施の形態におけるシステム構成例を示す図である。図１において、訪問診療支援装置１０と一以上のユーザ端末２０とは、ＬＡＮ（Local Area Network）又はインターネット等のネットワークを介して通信可能とされている。
【００１０】
訪問診療支援装置１０は、訪問診療に関して必要とされる各種の作業を支援するための処理を実行するコンピュータである。本実施の形態において、訪問診療支援装置１０は、訪問診療のための患者宅の訪問スケジュールの立案作業を支援する。複数のコンピュータが訪問診療支援装置１０を構成してもよい。また、訪問診療支援装置１０は、一つの病院等の医療機関内に設置されていてもよいし、例えば、インターネットを介してクラウドサービスを提供するコンピュータとして、データセンタ等に設置されてもよい。なお、訪問診療とは、在宅診療とも呼ばれ、医師が患者宅を定期的に訪問して診療を行う診療形態をいう。
【００１１】
ユーザ端末２０は、訪問診療を行っている医療機関において利用されるＰＣ（Personal Computer）等のコンピュータである。携帯電話、スマートフォン、又はタブレット型端末等、通信機能を有し、通信によって取得されたデータを表示可能な情報端末等が、ユーザ端末２０として用いられてもよい。本実施の形態では、訪問診療のための、患者宅の訪問スケジュールの立案担当者が、ユーザ端末２０のユーザとなる。
【００１２】
訪問診療支援装置１０は、また、インターネット等のネットワークを介して地図検索システムと通信可能とされている。地図検索システムは、地図検索サービスを提供するコンピュータシステムである。地図検索サービスとは、電子的な地図の画像データの提供等を行うサービスである。電子的な地図の画像データを、以下「電子地図」という。地図検索システムは、一般的に利用されている地図検索サイトであってもよい。
【００１３】
図２は、本発明の実施の形態における訪問診療支援装置のハードウェア構成例を示す図である。図２の訪問診療支援装置１０は、それぞれバスBで相互に接続されているドライブ装置１００、補助記憶装置１０２、メモリ装置１０３、ＣＰＵ１０４、及びインタフェース装置１０５等を有する。
【００１４】
訪問診療支援装置１０での処理を実現するプログラムは、記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１５】
メモリ装置１０３は、プログラムの起動指示があった場合に、補助記憶装置１０２からプログラムを読み出して格納する。ＣＰＵ１０４は、メモリ装置１０３に格納されたプログラムに従って訪問診療支援装置１０に係る機能を実行する。インタフェース装置１０５は、ネットワークに接続するためのインタフェースとして用いられる。
【００１６】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１７】
図３は、本発明の実施の形態における訪問診療支援装置の機能構成例を示す図である。図３において、訪問診療支援装置１０は、要求受信部１１、検索部１２、登録部１３、電子地図取得部１４、表示データ生成部１５、及び応答返信部１６等を有する。これら各部は、訪問診療支援装置１０にインストールされたプログラムが、ＣＰＵ１０４に実行させる処理により実現される。訪問診療支援装置１０は、また、患者情報記憶部１７を有する。患者情報記憶部１７は、例えば、補助記憶装置１０２、又は訪問診療支援装置１０にネットワークを介して接続される記憶装置等を用いて実現可能である。
【００１８】
要求受信部１１は、ユーザ端末２０から送信される要求を受信する。本実施の形態において、ユーザ端末２０と訪問診療支援装置１０との間の通信には、ＨＴＴＰ（HyperText Transfer Protocol）が利用される。但し、他の通信プロトコルが利用されてもよい。検索部１２は、ユーザ端末２０からの要求に応じた検索処理を実行する。検索処理の対象は、患者情報記憶部１７である。患者情報記憶部１７は、各患者に関する情報を記憶する。登録部１３は、ユーザ端末２０からの要求に応じ、患者情報記憶部１７への情報の登録を行う。
【００１９】
電子地図取得部１４は、地図検索システムより電子地図を取得する。表示データ生成部１５は、検索部１２による検索結果、又は電子地図取得部１４によって取得された電子地図等を含む表示データを生成する。本実施の形態において、表示データは、ＨＴＭＬ（HyperText Markup Language）形式によって生成される。但し、他のデータ形式によって表示データが生成されてもよい。
【００２０】
応答返信部１６は、要求受信部１１によって受信された要求に対する応答を、ユーザ端末２０に返信する。例えば、表示データ生成部１５によって生成された表示データを含む応答が、ユーザ端末２０に返信される。
【００２１】
以下、訪問診療支援装置１０が実行する処理手順について説明する。図４及び図５は、訪問診療支援装置が実行する処理手順の一例を説明するためのフローチャートである。
【００２２】
ステップＳ１０１において、要求受信部１１は、患者一覧画面の取得要求を受信する。当該取得要求は、ユーザ端末２０に対してユーザによって入力される指示に応じて、ユーザ端末２０によって送信される。
【００２３】
続いて、検索部１２は、患者情報の一覧情を、患者情報記憶部１７より取得する（Ｓ１０２）。
【００２４】
図６は、患者情報記憶部の構成例を示す図である。図６において、患者情報記憶部１７は、患者又は患者宅ごとに、患者ＩＤ、患者名、診療科、住所、緯度、経度、及び定期訪問周期等を記憶する。
【００２５】
患者ＩＤは、患者の識別情報である。患者名は、患者の氏名である。診療科は、患者が診療を受けている診療科である。住所は、患者宅の住所である。緯度及び経度は、患者宅が位置する緯度又は経度である。緯度及び経度は、患者宅の位置情報の一例である。定期訪問周期は、患者に対する定期的な訪問の周期である。定期訪問周期に値が登録されていない患者は、訪問スケジュールが未決定の患者又である。なお、本実施の形態において、定期訪問周期は、訪問予定日の一例である。すなわち、訪問予定日は、特定の一日を示す情報に限定されない。
【００２６】
続いて、表示データ生成部１５は、検索部１２によって検索された患者情報に基づいて、患者一覧画面を表示させる表示データを生成する（Ｓ１０３）。続いて、応答返信部１６は、表示データ生成部１５によって生成された表示データを、ユーザ端末２０に返信する（Ｓ１０４）。当該表示データを受信したユーザ端末２０は、当該表示データに基づいて、患者一覧画面を表示させる。
【００２７】
図７は、患者一覧画面の表示例を示す図である。図７において、患者一覧画面５１０には、患者情報記憶部１７に記憶されている項目のうち、患者ＩＤ、患者名、住所、及び定期訪問周期が患者又は患者宅ごとに表示されている。定期訪問周期が登録されていない患者に関しては、設定ボタン５１１が表示される。設定ボタン５１１は、当該設定ボタン５１１が対応する患者に対する定期訪問周期の設定画面の表示指示を受け付けるためのボタンである。設定ボタン５１１が押下されると、ユーザ端末２０は、患者一覧画面５１０の表示データの定義に基づいて、定期訪問周期設定画面を表示させる。以下、定期訪問周期の設定対象とされた患者を、「対象患者」という。
【００２８】
図８は、定期訪問周期設定画面の第一の表示例を示す図である。図８において、定期訪問周期設定画面５２０には、対象患者の患者ＩＤ、患者名、及び住所に加え、近隣患者ボタン５２１及び定期訪問周期入力領域５２２等が表示されている。
【００２９】
近隣患者ボタン５２１は、対象患者の患者宅の近隣の他の患者宅の位置等を示す地図画面の表示指示を受け付けるためのボタンである。以下、当該画面を、「近隣地図画面」という。定期訪問周期入力領域５２２は、定期訪問周期の入力を受け付ける領域である。
【００３０】
ユーザによって、近隣患者ボタン５２１が押下されると、ユーザ端末２０は、対象患者の患者ＩＤが指定された、近隣地図画面の取得要求を訪問診療支援装置１０に送信する。
【００３１】
ステップＳ１０５において、訪問診療支援装置１０の要求受信部１１は、近隣地図画面の取得要求を受信する。近隣地図画面の取得要求には、対象患者の患者ＩＤが指定されている。したがって、本実施の形態において、近隣地図画面の取得要求は、訪問予定日の設定対象とする患者又は患者宅の指定の一例である。以下、対象患者に係る患者宅を、「患者宅Ａ」という。
【００３２】
続いて、検索部１２は、患者宅Ａから所定の範囲内に所在する患者宅を、患者情報記憶部１７を参照して特定する（Ｓ１０６）。具体的には、患者宅Ａの位置情報が示す位置から所定の範囲内に含まれる位置情報が記憶されたレコードが、患者情報記憶部１７より検索される。所定の範囲内は、例えば、半径５ｋｍ以内等、予め設定されている。又は、定期訪問周期設定画面５２０において、当該範囲が指定可能とされてもよい。以下、患者宅Ａから所定の範囲内に所在する一以上の患者宅を、「患者宅群Ｂ」という。また、患者宅群Ｂに含まれる各患者宅を、「患者宅ｂ」という。なお、各患者又は患者宅に対する位置情報は、緯度及び経度によって記憶されている。したがって、患者宅Ａから半径５ｋｍ以内に位置するか否かは、例えば、患者宅Ａとの緯度及び経度の差違を、公知技術によって、キロメートル（ｋｍ）等の距離の単位に変換することにより判定されてもよい。
【００３３】
続いて、電子地図取得部１４は、患者宅Ａ及び患者宅群Ｂを含む地域の地図を示す電子地図の取得要求を地図検索システムに送信することにより、当該電子地図を地図検索システムより取得する（Ｓ１０７）。一般的に、地図検索サイトは、電子地図の取得要求を受け付けるためのＡＰＩ（Application Program Interface）を公開している。当該ＡＰＩでは、所望する電子地図を特定するためのパラメータの設定が可能とされている。パラメータの種類については、地図検索サイトによって異なりうる。例えば、所望する電子地図の中心位置の緯度及び経度と縮尺とがパラメータとして指定可能である。本実施の形態では、例えば、患者宅Ａの位置情報が、取得対象の電子地図の中心位置の緯度及び経度として指定される。
【００３４】
また、電子地図上に情報を合成したい場合は、当該情報を合成する緯度及び経度と、合成させる情報とを指定することも可能である。本実施の形態では、電子地図の取得要求において、患者宅Ａの位置情報、及び各患者宅ｂの位置情報が指定される。また、各患者宅ｂの位置に表示させる情報として、各患者宅ｂに対して患者情報記憶部１７に記憶されている診療科及び定期訪問周期等も指定される。
【００３５】
上記のような指定がなされた取得要求に応じて地図検索システムより返信される電子地図には、患者宅Ａ及び各患者宅ｂのそれぞれの位置を記す所定の図形として、後述される目印アイコンが合成されている。また、各目印アイコンには、当該目印アイコンに係る患者宅に関する診療科や定期訪問周期を示す文字列が関連付けられている。
【００３６】
なお、地図検索システムの機能は、訪問診療支援装置１０に実装されてもよい。
【００３７】
続いて、表示データ生成部１５は、電子地図取得部１４によって取得された電子地図を表示要素として含む近隣地図画面を表示させる表示データを生成する（Ｓ１０８）。続いて、応答返信部１６は、当該表示データを含む応答をユーザ端末２０に返信する（Ｓ１０９）。当該表示データを受信したユーザ端末２０は、当該表示データに基づいて、近隣地図画面を表示させる。
【００３８】
図９は、近隣地図画面の第一の表示例を示す図である。図９において、近隣地図画面５３０は、曜日指定領域５３１、リストボックス５３２、表示更新ボタン５３３、及び地図領域５３４等を含む。
【００３９】
地図領域５３４には、患者宅Ａの近隣の電子地図が表示されている。電子地図上には、患者宅Ａの位置を示す目印アイコンｍ０と、各患者宅ｂの位置を示す目印アイコンｍ１〜ｍ５が合成されている。各目印アイコンは、患者宅Ａ又は各患者宅ｂの緯度及び経度に基づいて合成されたものである。患者宅Ａの目印アイコンｍ０の色と、各患者宅ｂの目印アイコンｍ１〜ｍ５との色は、相互に異なっていても構わない。患者宅Ａの目印アイコンｍ０と各患者宅ｂの目印アイコンｍ１〜ｍ５と表示状態を異なるものにすることで、患者宅Ａの位置の視認性が向上している。
【００４０】
目印アイコンｍ１〜ｍ５のいずれかがマウスカーソルで指示されると、ユーザ端末２０は、近隣地図画面５３０の表示データの定義に基づいて、指示された目印アイコンに係る患者宅の情報を含む吹き出しを表示させる。図９では、目印アイコンｍ１が指示され、吹き出しｂ１が表示された例が示されている。吹き出しｂ１には、目印アイコンｍ１に係る患者宅の定期訪問周期が示されている。また、吹き出しｂ１には、ボタンｂ２が含まれている。ボタンｂ２は、当該定期訪問周期を、患者宅Ａの定期訪問周期として利用又は流用することの指示を受け付けるためのボタンである。
【００４１】
このように、地図領域５３４の電子地図には、各患者宅ｂ１の定期訪問周期を識別可能な情報が合成されている。なお、吹き出しｂ１には、診療科を示す文字列が含まれてもよい。また、各目印アイコンは、診療科又は定期訪問周期に応じて表示態様が異なっていてもよい。たとえば、診療科又は定期訪問周期に応じて、各目印アイコンが色分けされてもよい。
【００４２】
曜日指定領域５３１は、曜日指定によって、表示対象とする目印アイコンｍ１〜ｍ５の絞り込みの設定を受け付けるためのチェックボタンを含む。すなわち、チェックされた曜日を含む定期訪問周期が割り当てられている患者宅ｂが、表示対象とされる。
【００４３】
リストボックス５３２は、診療科の指定によって、表示対象とする目印アイコンｍ１〜ｍ５の絞り込みの設定を受け付けるためのリストボックスである。したがって、リストボックス５３２は、診療科を選択肢として含む。
【００４４】
表示更新ボタン５３３は、曜日指定領域５３１又はリストボックス５３２における設定の反映の指示を受け付けるためのボタンである。
【００４５】
地図領域５３４を参照することにより、ユーザは、患者宅Ａの近隣の患者宅ｂの位置を把握することができる。換言すれば、既に定期訪問周期が決定されている患者宅ｂのうち、いずれの患者宅ｂに患者宅Ａが近いのかをユーザは把握することができる。
【００４６】
但し、患者宅を訪問する医師は、患者の診療科に応じて異なる場合がある。したがって、単に所在地の近さのみに基づいて、患者宅の訪問スケジュールを作成することができない場合もある。例えば、近隣に位置するが、診療科が異なる患者宅群を、一人の医師が訪問するようなスケジュールを作成できない場合もある。
【００４７】
そのような場合、ユーザは、リストボックス５３２において、対象患者の診療科を選択する。このような利用形態を考慮すると、リストボックス５３２の代わりに、表示対象を患者宅Ａと同じ診療科に絞り込むか否かを選択させるチェックボタン等が配置されてもよい。
【００４８】
また、例えば、定期訪問周期の曜日に関して対象患者の要望が予め把握されている場合は、曜日指定領域５３１において当該要望に即した曜日がチェックされてもよい。
【００４９】
続いて、表示更新ボタン５３３が押下されると、ユーザ端末２０は、近隣地図画面５３０の表示データの定義に基づいて、表示対象の絞り込み要求を訪問診療支援装置１０に送信する。当該要求には、診療科を示す文字列及び曜日を示す文字列が指定される。当該絞り込み要求に指定された文字列を、以下、「絞り込み条件」という。
【００５０】
訪問診療支援装置１０の要求受信部１１によって、表示対象の絞り込み要求が受信されると（図５：Ｓ１１０でＹｅｓ）、検索部１２は、患者宅群Ｂの中から、当該要求に指定された絞り込み条件に合致する患者宅群を抽出する（Ｓ１１１）。例えば、診療科を示す文字列が絞り込み条件に含まれている場合、患者宅群Ｂの中から、当該文字列が患者情報記憶部１７の「診療科」の項目に記憶されている患者宅群が抽出される。更に、曜日を示す文字列が絞り込み条件に含まれている場合、抽出された患者宅群の中から、当該曜日が患者情報記憶部１７の「定期訪問周期」に記憶されている患者宅群が抽出される。以下、最終的に抽出された患者宅群を、「患者宅群Ｃ」という。また、患者宅群Ｃに含まれる各患者宅を、「患者宅ｃ」という。
【００５１】
続くステップＳ１１２〜Ｓ１１４では、患者宅群Ｃが患者宅群Ｂに置き換わることを除いて、ステップＳ１０７〜Ｓ１０９と同様の処理が実行される。その結果、絞り込み条件が反映された近隣地図画面が、ユーザ端末２０に表示される。
【００５２】
図１０は、近隣地図画面の第二の表示例を示す図である。図１０中、図９と同一部分には同一符号を付している。
【００５３】
図１０に示される近隣地図画面５３０ａでは、診療科が神経内科であるといった条件によって表示対象が絞り込まれた例が示されている。その結果、患者宅Ａの目印アイコンｍ０の他に、一つの患者宅ｃの目印アイコンｍ１のみが、電子地図に合成されている。
【００５４】
その結果、ユーザは、患者宅Ａの定期訪問周期を、患者宅ｃの定期訪問周期に合わせることができれば、効率的な訪問スケジュールを立案できると判断することができる。
【００５５】
ユーザが、吹き出しｂ１が表示された状態で、ボタンｂ２を押下すると、ユーザ端末２０は、近隣地図画面５３０ａの表示データの定義に基づいて、患者宅Ａに関する定期訪問周期設定画面を表示させる。
【００５６】
図１１は、定期訪問周期設定画面の第二の表示例を示す図である。図１１中、図８と同一部分には同一符号を付している。
【００５７】
図１１に示される定期訪問周期設定画面５２０ａには、定期訪問周期入力領域５２２に対して値が入力された状態となっている。当該値は、図１０の近隣地図画面５３０において、目印アイコンｍ１に係る患者宅に対する定期訪問周期が転記されたものである。すなわち、図６における「富士  次郎」さんの定期訪問周期である、「第１・３月曜日午前」が、転記されている。
【００５８】
ユーザは、定期訪問周期入力領域５２２における各コンボボックスを操作して、転記された定期訪問周期を修正することもできる。例えば、「午前」を「午後」にしたり、「第１・３」を、「第１」のみ又は「第３」のみにしたりすることもできる。
【００５９】
ユーザによって、ＯＫボタン５２３が押下されると、ユーザ端末２０は、定期訪問周期設定画面５２０ａの表示データの定義に基づいて、定期訪問周期の登録要求を訪問診療支援装置１０に送信する。当該登録要求には、対象患者の患者ＩＤと、定期訪問周期入力領域５２２に対して入力された定期訪問周期とが指定される。
【００６０】
ステップＳ１１５において、訪問診療支援装置１０の要求受信部１１は、定期訪問周期の登録要求を受信する。続いて、登録部１３は、当該登録要求に指定されている患者ＩＤに対応付けて、当該登録要求に指定されている定期訪問周期を患者情報記憶部１７に記憶する（Ｓ１１６）。
【００６１】
上述したように、本実施の形態によれば、訪問予定日の設定対象である患者宅Ａに対して近隣に位置する患者宅群Ｂが自動的に抽出され、患者宅群Ｂに含まれる各患者宅ｂの位置が記された電子地図を含む表示データが生成される。したがって、ユーザは、当該表示データが表示させる画面を参照して、患者宅Ａの近隣に位置する患者宅を容易に把握することができる。
【００６２】
また、電子地図上において、各患者宅の訪問予定日や診療科は、各患者宅の位置に関連付けられている吹き出し等によって識別可能とされている。したがって、訪問予定日が重複する患者宅群や、診療科が一致する患者宅群を容易に把握することができる。
【００６３】
更に、電子地図上において、診療科によって絞り込まれた患者宅群のみを表示させることができる。したがって、ユーザは、訪問予定日の設定対象である患者宅Ａと診療科が一致し、かつ、患者宅Ａの近隣に位置する患者宅を容易に把握することができる。
【００６４】
したがって、患者宅Ａの訪問予定日を立案するための有益な情報を、簡便な操作によって得ることができる。その結果、患者宅Ａの訪問予定日の立案作業を効率化することができる。
【００６５】
なお、患者宅は、患者の自宅に限られない。例えば、親戚の家等、患者が自宅以外で療養している場合は、当該家が患者宅となる。すなわち、本実施の形態において、患者宅とは、患者にとっては、訪問診療を受ける場所であり、医師にとっては訪問先となる場所であればよい。
【００６６】
以上、本発明の実施例について詳述したが、本発明は斯かる特定の実施形態に限定されるものではなく、請求の範囲に記載された本発明の要旨の範囲内において、種々の変形・変更が可能である。
【符号の説明】
【００６７】
１０          訪問診療支援装置
１１          要求受信部
１２          検索部
１３          登録部
１４          電子地図取得部
１５          表示データ生成部
１６          応答返信部
１７          患者情報記憶部
２０          ユーザ端末
１００        ドライブ装置
１０１        記録媒体
１０２        補助記憶装置
１０３        メモリ装置
１０４        ＣＰＵ
１０５        インタフェース装置
Ｂ            バス
【図１】
2013140490.tif 000003
【図２】
2013140490.tif 000004
【図３】
2013140490.tif 000005
【図４】
2013140490.tif 000006
【図５】
2013140490.tif 000007
【図６】
2013140490.tif 000008
【図７】
2013140490.tif 000009
【図８】
2013140490.tif 000010
【図９】
2013140490.tif 000011
【図１０】
2013140490.tif 000012
【図１１】
2013140490.tif 000013
【国際調査報告】
2013140490.tif 000014
2013140490.tif 000015